(57)【要約】      （修正有）【課題】煮魚など煮物などが掬い部の上面で滑らない食品用掬い具を提供する。【解決手段】平板状の掬い部１の後部に握り柄２を設ける。掬い部１はナイロン６６などの耐熱樹脂によって形成される。掬い部１の上面６にシリコンゴムからなる第一の滑り止め部４を設ける。握り柄２の表面にシリコンゴムからなる第二の滑り止め部９を設ける。掬い部１の第二の上面６に煮物などを載せたとき、第一の滑り止め部４により摩擦力が大きくなり、滑ったり落ちたりするようなことはない。【選択図】図１
0003151189.tif 000002
【実用新案登録請求の範囲】
【請求項１】
平板状の掬い部の後部に握り柄を設けた食品用掬い具において、前記掬い部の上面にゴムからなる第一の滑り止め部を設けたことを特徴とする食品用掬い具。
【請求項２】
前記掬い部は耐熱樹脂によって形成されると共に、前記ゴムは耐熱性ゴムによって形成され、前記第一の滑り止め部の第一の上面と前記掬い部本体の第二の上面とを同一面状に設けたことを特徴とする請求項１記載の食品用掬い具。
【請求項３】
前記握り柄の表面にゴムからなる第二の滑り止め部を設けたことを特徴とする請求項１又は２記載の食品用掬い具。
【請求項４】
前記掬い部の前縁に前記握り柄の長手方向に交差する直線部を設けたことを特徴とする１〜３のいずれか１項に記載の食品用掬い具。
【請求項５】
前記掬い部はナイロン６６樹脂によって形成され、前記第一の滑り止め部はシリコンゴムによって形成されることを特徴とする請求項１〜４のいずれか１項に記載の食品用掬い具。
【考案の詳細な説明】
【技術分野】
【０００１】
本考案は、煮物や焼き物などの食品用掬い具に関するものである。
【背景技術】
【０００２】
ターナー等と称する食品用掬い具は、調理面が平坦な鍋やフライパンでの使用に好適であり、従来、例えば煮魚を傷つけず、鍋から取れるようにするものとして柄の先端に数本の板の様な物を曲げて取り付けたターナーが知られている（例えば、特許文献１）。
【先行技術文献】
【特許文献】
【０００３】
【特許文献１】特開２００５−５８７０８号公報
【考案の概要】
【考案が解決しようとする課題】
【０００４】
しかし、従来技術においては、例えばターナーの掬い部に載せて煮物を鍋より取り出す際に、煮魚がターナーの掬い部上で滑ったり、或いは落下して型崩れするおそれがある。
【０００５】
解決しようとする問題点は、煮魚など煮物などが掬い部の上面で滑ったりしないようにすることを目的とする。
【課題を解決するための手段】
【０００６】
請求項１の考案は、平板状の掬い部の後部に握り柄を設けた食品用掬い具において、前記掬い部の上面にゴムからなる第一の滑り止め部を設けたことを特徴とする食品用掬い具である。
【０００７】
請求項２の考案は、前記掬い部は耐熱樹脂によって形成されると共に、前記ゴムは耐熱性ゴムによって形成され、前記第一の滑り止め部の第一の上面と前記掬い部本体の第二の上面とを同一面状に設けたことを特徴とする請求項１記載の食品用掬い具である。
【０００８】
請求項３の考案は、前記握り柄の表面にゴムからなる第二の滑り止め部を設けたことを特徴とする請求項１又は２記載の食品用掬い具である。
【０００９】
請求項４の考案は、前記掬い部の前縁に前記握り柄の長手方向に交差する直線部を設けたことを特徴とする１〜３のいずれか１項に記載の食品用掬い具である。
【００１０】
請求項５の考案は、前記掬い部はナイロン６６樹脂によって形成され、前記第一の滑り止め部はシリコンゴムによって形成されることを特徴とする請求項１〜４のいずれか１項に記載の食品用掬い具である。
【考案の効果】
【００１１】
請求項１の考案によれば、掬い部の上面に煮物等を載せたとき、第一の滑り止め部により摩擦力が大きくなり、滑ったり落ちたりするようなことを避けることができる。
【００１２】
請求項２の考案によれば、軽量で耐熱性に優れ、さらに第一の上面と掬い部の第二の上面とを同一面状に設けたことで、載せた煮物等を傷つけるようなことなどをなくすことができる。
【００１３】
請求項３の考案によれば、握り柄を握った手が濡れているような場合でも、手が滑るようなことはなくなる。
【００１４】
請求項４の考案によれば、煮物等を掬い上げるときに、煮物と前縁とが直線的に接触して接触長さを可及的に短くできる。
【００１５】
請求項５の考案によれば、高い耐熱性を確保できる。
【図面の簡単な説明】
【００１６】
【図１】本考案の第１実施例を示す斜視図である。
【図２】同断面図である。
【図３】本考案の第２実施例を示す斜視図である。
【考案を実施するための最良の形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１８】
図１〜図２は実施例１を示しており、掬い具は、平面が円形な薄板状の掬い部１と、この掬い部１の後部に下部を連結して斜め後方に立設する握り柄２とからなる。尚、掬い部１の前縁には、握り柄２の長手方向Ｘと交差するように直線部３を設けている。この直線部３は先細であって、円上の弧の両端を結ぶ線分によって形成されている。
【００１９】
そして、掬い部１は、耐熱樹脂、例えばアジピン酸とヘキサメチレンジアミンを重合したナイロン６６樹脂によって形成されており、この掬い部１の一部にシリコンゴムからなる第一の滑り止め部４を設ける。この第一の滑り止め部４の第一の上面５は掬い部１の第二の上面６と同一平面状に設けられるもので、第二の上面６に凹部７を浅底状に形成し、この凹部７にゴム、例えばシリコンゴムをシート状に設けたものである。尚、ここでいうゴムとはエラストマー（常温でゴム状弾性を有する高分子物質）を含んでいる。この実施例では掬い部１のほぼ中央に第一の滑り止め部４が設けられており、これは中央に平面小円状のものが設けられ、さらにこれを中心として十方向に放射状に設けられて、平面が花びら模様にあらわされている。
【００２０】
さらに、握り柄２はステンレス鋼などの鉄系金属により形成される握り柄本体８の表面にシリコンゴムからなる第二の滑り止め部９を第一の滑り止め部４と同様に設けたものである。尚、図中10は掬い部１の下面を示している。
【００２１】
次に前記構成についてその作用を説明する。鍋（図示せず）内で煮た被掬い物である煮魚や野菜など煮物Ａを取り出すときは、握り柄２を握って掬い部１の下面10を鍋底に沿って移動して上面を煮物Ａの下にもぐりこませる。そして、握り柄２を持ち上げて掬い部１により煮物Ａを掬い上げて取り出すものである。この取り出しの際に煮物Ａと第二の上面６との接触あっては、第一の滑り止め部４の上に煮物Ａが載置されることになり、煮物Ａと第一の上面５間の摩擦はそれ以外の第二の上面６と煮物Ａとの摩擦より大きくなり、第一の上面５、第二の上面６が傾斜した場合でも煮物Ａは第一の上面５で滑るようなことはなく、煮物Ａが滑って型崩れするようなことはなく、また鍋底に落下して型崩れするようなことも阻止できる。
【００２２】
また、握り柄２を握った際に、指が第二の滑り止め部９に接することで、握り柄２におけるそれ以外の箇所よりも大きな摩擦力を発揮でき、調理人の握り時において、握り柄２が手から滑るようなことはなく、第一の上面５、第二の上面６上の煮物Ａに衝撃を与えるようなことはなく、煮物Ａが型崩れするようなことを阻止できる。
【００２３】
以上のように、前記実施例では請求項１に対応して、平板状の掬い部１の後部に握り柄２を設けた食品用掬い具において、平板状の掬い部１の第二の上面６にシリコンゴムからなる第一の滑り止め部４を設けたことで、掬い部１の第二の上面６に煮物Ａを載せたとき、第一の滑り止め部４により摩擦力が大きくなり、滑ったり落ちたりするようなことはない。また、第二の上面６にシリコンゴムからなる第一の滑り止め部４を設けたことでこの第一の滑り止め部４によって模様などをあらわすこともでき、美観を向上することもできる。
【００２４】
前記実施例では請求項２に対応して、前記掬い部１は耐熱樹脂によって形成されるので、軽量で耐熱性に優れ、さらに錆びたりすることはなく、しかも衛生的に保つことができる。また、第一の滑り止め部４の第一の上面５と掬い部１の第二の上面６とを同一面状に設けたことで、煮物Ａが第一の滑り止め部４の縁角で引っ掛かるようなことはなく、煮物Ａを傷つけるようなことはなく、さらに第一の滑り止め部４の縁角に汚れが付着しにくく、洗浄しやすい。
【００２５】
前記実施例では請求項３に対応して、前記握り柄２の表面にシリコンゴムからなる第二の滑り止め部９を設けたことで、握り柄２と手との摩擦力を大きくでき、握り柄２を握った手が濡れているような場合でも、手が滑るようなことはなく、安心して煮物Ａを掬い上げることができる。
【００２６】
前記実施例では請求項４に対応して、前記掬い部１の前縁に握り柄２の長手方向Ｘに交差する直線部３を設けたことで、掬い部１を鍋底に沿わせて煮物Ａを掬い上げるときに、煮物Ａと前縁とが直線的に接触して両者間の接触長さを可及的に短くして前縁による煮物Ａの型崩れをなくすように図ることができる。
【００２７】
前記実施例では請求項５に対応して、前記耐熱樹脂はナイロン６６樹脂によって形成され、第一の滑り止め部４はシリコンゴムによって形成されて、高い耐熱性が可能となる。
【実施例２】
【００２８】
図３に示す実施例２は前記実施例１と同一部分には同一符号を付し、その詳細な説明を省略する。実施例２においては、掬い部１を平面ほぼ矩形にしたもので、その第二の上面６の少なくとも中央に、シリコンゴムからなる第一の滑り止め部４´を点在させたものであり、また握り柄２にもシリコンゴムからなる第二の滑り止め部９´を点在させたものである。
【００２９】
以上のように、実施例２においても実施例１と同様に掬い部１の第二の上面６に煮物Ａを載せたとき、第一の滑り止め部４´との摩擦力が大きくすることなどができる。
【産業上の利用可能性】
【００３０】
以上のように本考案にかかる食品用掬い具は、各種の用途に適用できる。
【符号の説明】
【００３１】
１  掬い部
２  握り柄
３  直線部
４  第一の滑り止め部
５  第一の上面
６  第二の上面
９  第二の滑り止め部
【図１】
0003151189.tif 000003
【図２】
0003151189.tif 000004
【図３】
0003151189.tif 000005